(57)【要約】  本発明は、硬質表面又は軟質表面からスポット及び付着物を除去するのに適した薬剤に関する。上記薬剤は、界面活性剤、付着促進剤、少なくとも１つの活性物質を含む。上記付着促進剤は、アルキレン−スチレンコポリマー、２つ以上のオレフィンのオレフィンホモポリマー又はオレフィンコポリマー、及びポリアルキレン誘導体の群から選択され、ここでポリマーは、水素添加されていてもよい。上記活性物質は、酸、アルカリ、漂白剤及び／又はゲル中で結合しない疎水性有機溶媒である。上記薬剤は、少なくとも１０重量％の少なくとも１つの酸若しくは少なくとも１０重量％の少なくとも１つのアルカリ、及び／若しくは少なくとも１０重量％の漂白剤を含み、並びに／又は少なくとも５重量％の、ゲル中で結合しない疎水性有機溶媒を含む。【特許請求の範囲】
【請求項１】
硬質又は軟質表面から染み又は付着物を除去するための薬剤であって、
前記薬剤は、界面活性剤、付着促進剤、少なくとも１つの活性物質を含み、
前記付着促進剤は、アルキレンスチレンコポリマー、２つ以上のオレフィンのオレフィンホモポリマー又はオレフィンコポリマー、及びポリアルキレン誘導体の群から選択され、前記ポリマーは、水素添加されていてもよく、
前記活性物質は、酸、アルカリ、漂白剤及び／又はゲル中で結合しない疎水性有機溶媒であり、
前記薬剤は、少なくとも１０重量％の少なくとも１つの酸、若しくは少なくとも１０重量％の少なくとも１つのアルカリ、及び／若しくは少なくとも５重量％の漂白剤を含み、並びに／又は少なくとも１０重量％のゲル中で結合しない疎水性有機溶媒を含む、硬質又は軟質表面から染み又は付着物を除去するための薬剤。
【請求項２】
前記アルキレンスチレンコポリマーは、ジブロック又はトリブロックコポリマーからなる群から、特にスチレン−ブタジエン−スチレンコポリマー（ＳＢＳ）、スチレン−イソプレン−スチレンコポリマー（ＳＩＳ）、スチレン−エチレン／ブチレン−スチレンコポリマー（Ｓ−ＥＢ−Ｓ）、スチレン‐エチレン／プロピレンコポリマー（Ｓ−ＥＰ）、スチレン−エチレン／ブチレンコポリマー（Ｓ−ＥＢ）、スチレン−ブタジエンコポリマー（ＳＢ）、スチレン−イソプレンコポリマー（ＳＩ）からなる群から選択され、ここで前記アルキレンスチレンコポリマーはまた、水素添加されていてよいか、又は部分的に水素添加されていてよく、
前記オレフィンホモポリマー又は前記コポリマーは：ポリブタジエンゴム；スチレン−ブタジエンブロックポリマー及びコポリマー；並びにポリイソプロペン；スチレン又はα−メチルスチレンに対するブタジエン又はイソプレンの１，３−添加によって得られるランダム（ブロック）ポリマー；エチレン−プロピレンジエンターポリマー、天然ゴム、ノルボルネンポリマー又はポリジシクロペンタジエンといったエチレン又はプロピレンのホモポリマー又はコポリマーの群から選択される
ことを特徴とする、請求項１に記載の薬剤。
【請求項３】
酸を含む前記薬剤の１％溶液のｐＨは、ｐＨ２以下、好ましくは最大ｐＨ１．５、特に好ましくは最大ｐＨ１であることを特徴とする、請求項１又は２に記載の薬剤。
【請求項４】
アルカリを含む前記薬剤の１％溶液のｐＨは、少なくともｐＨ９、好ましくは少なくともｐＨ１０、特に好ましくは少なくともｐＨ１１であることを特徴とする、請求項１〜３のいずれか１項に記載の薬剤。
【請求項５】
前記界面活性剤画分は、最大８０重量％、好ましくは１０重量％〜６０重量％、特に好ましくは２５重量％〜４５重量％であることを特徴とする、請求項１〜４のいずれか１項に記載の薬剤。
【請求項６】
前記薬剤はペースト状であり、Ｈａａｋｅ粘度計、プレート／プレートシステム、プレート直径１０ｍｍを用いて、剪断勾配２．６２ｓ-1、２０oＣで測定した場合に、好ましくは少なくとも３０Ｐａ＊ｓ、特に好ましくは少なくとも１００Ｐａ＊ｓの粘度を有することを特徴とする、請求項１〜５のいずれか１項に記載の薬剤。
【請求項７】
織物から脇下領域における染みを、又は血液、錆若しくは石灰沈着の上部の汚れの染みを除去するために、少なくとも１０重量％の酸、好ましくは少なくとも２０重量％の酸、並びに好ましくは少なくとも３０重量％の有機酸及び無機酸の混合物を含む、請求項１〜６のいずれか１項に記載の薬剤の使用。
【請求項８】
硬質表面から及び／又は特に工業分野における表面のエッチングのために、樹脂、油、すす又はグリースを含有する付着物を除去するために、少なくとも５０重量％、好ましくは少なくとも６０重量％、特に好ましくは少なくとも７０重量パーセントのアルカリを含む、請求項１、２、４、５、６のいずれか１項に記載の薬剤の使用。
【請求項９】
前記薬剤は、ココア／チョコレート、靴クリーム、口紅、チューインガム、ウコンの染み、又はその他のグリース若しくは顔料を含有する染みを除去するために、アルカリ及び少なくとも１０重量％の疎水性有機溶媒を含む、請求項１、２、４、５、６のいずれか１項に記載の薬剤の使用。
【請求項１０】
着色染み及び特に赤ワインの染みを除去するために、好ましくはペルオキソ化合物の群からの少なくとも１０重量％の漂白剤を含む、請求項１〜６のいずれか１項に記載の薬剤の使用。
【請求項１１】
コケを除去するための薬剤の使用であって、
前記薬剤は、界面活性剤、付着促進剤、少なくとも１つの活性物質を含み、
前記付着促進剤は、アルキレンスチレンコポリマー、２つ以上のオレフィンのオレフィンホモポリマー又はオレフィンコポリマー、及びポリアルキレン誘導体の群から選択され、
前記ポリマーは、水素添加されていてもよく、
前記活性物質は、少なくとも５％の酸及び／又は少なくとも１％の殺生物剤である、
コケを除去するための薬剤の使用。
【発明の詳細な説明】
【技術分野】
【０００１】
本発明は、硬質表面及び軟質表面上の多数の異なる染み及び付着物を除去するのに適した薬剤に関する。
【０００２】
この薬剤は特に、織物等の軟質の繊細な材料から、除去するのが困難な染みを除去するのに適している。染みは、衣類材料の脇下領域における染みであってよいが、チョコレート、口紅、靴クリーム、赤ワイン、ウコン、グリース、石灰、石鹸カス、排泄物、錆、血液、チューインガムであってもよい。
【０００３】
更に、本発明による薬剤は、硬質表面から染み又は付着物を除去するのにも適している。特に、本発明による薬剤を、例えばボイラプラント及び燃焼室内の煙道ガス樹脂の付着物の除去のために工業的に使用することもできる。更なる変形例では、本発明による薬剤を、半導体表面上の汚染物質を取り除くために使用することもできる。エッチングプロセスにおける使用も可能である。使用の更なる分野は、コケの除去である。
【背景技術】
【０００４】
従来技術は、チョコレート、口紅、靴クリーム、赤ワイン、ウコン、グリース、石灰、石鹸カス、排泄物、錆、血液でできた染みのための様々な染み除去剤を開示している。更に、このような染みを除去するために使用される様々な家庭用品が存在する。
【０００５】
しかしながら、これまでに知られている薬剤を用いて、例えばココア、口紅又はウコンといった頑固な染みの適切な除去は可能ではないか、又は生地が薬剤の塗布後に傷みを呈する。
【０００６】
生地に優しい満足のいく解決策がこれまでに見出されていない染みの除去における更なる課題は、織物の脇下領域における染みの除去である。このような染みは、部分的に硬化する難溶性付着物の形成に起因するものである。これらの付着物は汗、デオドラント中に存在するアルミニウムクロロハイドレート、細菌の代謝産物の反応生成物であると考えられる。このような染みの完全な除去のための、生地に優しい好適な薬剤は、今日まで知られていない。
【０００７】
便器等の衛生物に直接塗布できる、便器等の衛生物を清掃するための薬剤は、便器に付着し、比較的多数回の水洗作業をして初めて洗い流すことができ、また更なる薬剤がそこに付着してしまう程粘着性がある。上記薬剤は特許文献１から公知である。これらの薬剤は、染み又は汚染物質の１回限りの除去ではなく、保守清掃に役立つ。
【０００８】
特に脇下領域における織物上の染みの除去に役立つといわれている酸性薬剤は、特許文献２から公知である。これらの薬剤は強酸性（ｐＨ＜１）であり、酸だけでなく水及び界面活性剤を含む。必要に応じて、例えばエトキシル化脂肪族アルコール／エトキシル化脂肪族アミン等のゲル形成剤又は増粘剤を用いて、薬剤の粘度を高めることもできる。
【０００９】
しかしながら実際には、このような薬剤は、織物の脇下領域における染みの適切な除去を可能としないか、又は染みを除去するが同時に織物を傷めることが分かっている。
【００１０】
硬質表面を清掃するための酸を含む薬剤は、特許文献３から公知である。この薬剤はその中に有機酸、非イオン界面活性剤、水、硬質表面に吸着する親水性ポリマーを含む。これもまた硬質表面に吸着する親水性ポリマーとして、この文献はポリベタインの使用を教示している。
【００１１】
薄く着色された結晶性粘土鉱物を含む、織物から染みを除去するための薬剤が、特許文献４から公知である。特許文献５は、特に疎水性成分を含む染みクリーナーを教示している。
【００１２】
特許文献６は、非イオン界面活性剤、陰イオン性石鹸、ポリマーを含む、染み除去剤を開示している。
【００１３】
特許文献７は、織物の前処理剤又は後処理剤として使用できる漂白剤組成物を開示している。
【００１４】
特許文献８は、光触媒材料、湿潤剤、界面活性剤を含む液体クリーナーを教示している。
【先行技術文献】
【特許文献】
【００１５】
【特許文献１】欧州特許第２２７５５２４Ｂ１号
【特許文献２】国際公開第２０１１／０７７１４４Ａ１号
【特許文献３】国際公開第２００９／０８５０４９号
【特許文献４】欧州特許第１２３８０５０Ｂ１号
【特許文献５】国際公開第０３／０６６７９７号
【特許文献６】欧州特許第０７８６５１４Ａ２号
【特許文献７】独国特許第１９９３５２５９Ａ１号
【特許文献８】独国特許第１０２００７０１４８７５Ａ１号
【発明の概要】
【発明が解決しようとする課題】
【００１６】
本発明の目的は、特に脇下領域における、織物上の染み及び付着物の効果的な除去、及び上記の「頑固な」染みの除去に適しており、同時に処理対象の表面が殆ど又は全く傷まない薬剤を示すことである。
【００１７】
更なる目的は、硬質表面上の付着物及び染みの除去、特に工業規模におけるものを含む樹脂、グリース又は油、及びコケを含有する付着物の除去にも適した薬剤を提供することである。
【課題を解決するための手段】
【００１８】
これらの目的は、請求項１及び請求項１１の特徴を有する薬剤によって達成される。
【００１９】
驚くべきことに、薬剤が酸、アルカリ、漂白剤及び／又はゲル中で結合しない有機疎水性溶媒、といった各活性物質に加えて、界面活性剤及び付着促進剤も含めば、繊細な表面においてでさえも、効果的であり優しくもある染みの除去を達成できることが立証された。ここで、付着促進剤は、アルキレンスチレンコポリマー、２つ以上のオレフィンのオレフィンホモポリマー又はオレフィンコポリマー、及びポリアルキレン誘導体の群から選択され、ここでポリマーは、水素添加されていてもよい。
【００２０】
ここで、「活性物質（ａｃｔｉｖｅ  ｓｕｂｓｔａｎｃｅｓ）」は概して、実際の染み除去をもたらす。
【００２１】
付着促進剤は薬剤を粘着性とする働きをし、これにより、問題の染み又は付着物への塗布後に、薬剤が粘着して流れ落ちない又は垂れない。
【００２２】
薬剤中に存在する界面活性剤は、一方で洗浄効果をもたらす。更に界面活性剤は、疎水性付着促進剤が水の存在下で溶解するのに寄与する。
【００２３】
一般に疎水性である付着促進剤は更に、保護及び遅延効果をもたらす。水溶性活性成分は、水の存在下でしか薬剤から放出されない。それまでは、反応性活性成分は疎水性マトリクス中で保護される。
【００２４】
これは、薬剤の有効時間を延長する。更に、反応性活性成分は、短い時間内でさえも効果を損なうことなく、疎水性マトリクス中に配合できる。
【００２５】
添加される活性成分に応じて、薬剤を、極めて広範な様々な染み又は付着物を除去するために配合できる。
【００２６】
第１の変形例では、薬剤は、界面活性剤及び付着促進剤に加えて、活性成分として少なくとも１０重量％の酸を含む。このような薬剤は、酸可溶性の染みを除去するために使用できる。
【００２７】
驚くべきことに、特に付着促進剤としての疎水性溶媒中で溶解されたアルキレンスチレンコポリマー、界面活性剤、及び少なくとも１０重量％、好ましくは少なくとも１５重量％、特に好ましくは少なくとも２０重量％の酸を含む、このような酸性染み除去剤が、脇下領域において織物から染みを除去するための従来の薬剤に対して優れていることが分かった。本発明による薬剤を用いて、生地を傷めることなく、効果的に染みを除去できる。
【００２８】
更に、錆、血液又は石灰沈着の上部の汚染物質といった染みの除去のために、上述のような酸が調整された薬剤を使用できる。酸が調整された薬剤は生地を攻撃しないため、このような薬剤は、特に織られた、編まれた又は縮絨された生地等の軟質の繊細な表面上、とりわけ織物、絨毯又はカーテン上の染み及び付着物の除去に適している。表面は例えば、合成若しくは天然繊維製、天然若しくは人工皮革製、又はプラスチック製であってよい。
【００２９】
更に、本発明による酸が調整された薬剤は当然のことながら、例えば金属、セラミック、石、ガラス、プラスチック又は木材上の硬質の繊細でない表面から上述のような染みを除去するために使用することもできる。
【００３０】
特に例えば赤ワイン等の着色染みの除去に適している更なる変形例では、薬剤は、活性成分として漂白剤、例えば過ホウ酸塩、過炭酸塩、過硫酸塩又はフタルイミドパーオキシカルボン酸（ｐｈｔｈａｌｉｍｉｄｏｐｅｒｏｘｏｈｅｘａｎｏｉｃ  ａｃｉｄ：ＰＡＰ）といった過酸の塩を含む。漂白剤は好ましくは、薬剤中で、少なくとも５重量％、好ましくは少なくとも８重量％、特に好ましくは少なくとも１２重量％の濃度で存在する。必要に応じて、例えばテトラアセチレンエチレンジアミン（ｔｅｔｒａａｃｅｔｙｌｅｎｅｅｔｈｙｌｅｎｅｄｉａｍｉｎｅ：ＴＡＥＤ）、ニトリルクワット、ＮＯＢＳ（ｎｏｎａｎｏｙｌｏｘｏｂｅｎｚｅｎｅｓｕｌｆｏｎａｔｅ：ノナノイルオキソベンゼンスルホネート）又はＤＯＢＳ（ｄｅｃａｎｏｙｌｏｘｏｂｅｎｚｅｎｅｓｕｌｆｏｎａｔｅ：デカノイルオキソベンゼンスルホネート）といった漂白活性化剤を薬剤に添加することもできる。
【００３１】
好ましい変形例では、漂白剤を含む薬剤は、少なくとも２０重量％の界面活性剤、少なくとも１０重量％の漂白剤、純粋物質として又は疎水性溶媒中の溶液としての２０重量％〜６０重量％の付着促進剤、並びに任意に漂白活性化剤及び溶解性促進剤、特に好ましい実施形態では、２５重量％〜４０重量％の界面活性剤、少なくとも１０重量％のペルオキソ酸の塩、３０重量％〜５０重量％の付着促進剤、特に疎水性溶媒中で溶解されたアルキレンスチレンコポリマー（Ｖｅｒｓａｇｅｌ）を含む。
【００３２】
このような薬剤は、織物及びカーペット等の軟質の繊細な表面からの、赤ワイン、コーヒー又は紅茶の染みの除去に適しているが、上述の硬質表面からの赤ワイン、コーヒー又は紅茶の染みの除去にも適している。
【００３３】
このために、薬剤を影響を受けた物品上の染みに塗布し、必要な場合待ち時間及び作用時間を遵守し、その後物品を例えば洗濯機で洗濯するか、又はすすぐ。続いて水の存在下で、薬剤から漂白剤及び界面活性剤が染み上で徐々に放出されて染みを漂白し、汚染物質を洗浄用溶液中に運び去る。活性成分が付着促進剤の疎水性マトリクス中に組み込まれており、水の存在下においてしかマトリクスから溶解しないため、活性成分の過量、従って生地に対するダメージを回避できる。
【００３４】
更なる変形例では、本発明による薬剤は、口紅、靴クリーム、ココア、グリース又はワックスといった、油溶性及び／又は顔料含有汚染物質の除去のために配合できる。
【００３５】
このような汚染物質を除去するために、薬剤は第１に、グリース又はワックスを溶解する働きをする疎水性有機溶媒を含む。従って、この目的のために作用する疎水性有機溶媒は、薬剤中で自由に使用できなければならない。例えば疎水性溶媒等の、薬剤中に存在するがゲル形成のために必要とされる溶媒（これは付着促進剤として特に好ましいＶｅｒｓａｇｅｌ中でゲル形成のための溶媒として機能する）は、本発明の文脈における自由に使用できる有機溶媒ではない。
【００３６】
従って好ましくは、疎水性有機溶媒を、例えばテルペン、アルカン、鉱油、長鎖アルコール（Ｒ＞１０）、エステル又はエーテルである、ゲル形成のために必要な疎水性溶媒を介して、薬剤に更に添加する。
【００３７】
一般に、薬剤中の自由な有機溶媒の濃度は、少なくとも１０重量％、好ましくは１５重量％超、特に好ましくは２０重量％〜４０重量％である。
【００３８】
自由に使用できる有機溶媒に加えて、薬剤は一方で、同様にグリース及び油を溶解する働きをするアルカリも含むべきである。他方で、アルカリはまた、繊維の膨張ももたらし、従ってこの膨張した構造の結果として、活性成分が十分に織物に浸透し、再び溶解された汚染物質を運び去ることを容易にする。
【００３９】
疎水性有機溶媒を更に含むこのような薬剤中のアルカリの濃度は一般に、少なくとも２重量％、好ましくは少なくとも５重量％である。
【００４０】
少なくとも２重量％のアルカリ、好ましくはＮａＯＨ又はＫＯＨ、少なくとも２０重量％の自由な疎水性有機溶媒、好ましくはテルペン、少なくとも１０重量％の付着促進剤（好ましくはＶｅｒｓａｇｅｌ等の疎水性溶媒中で溶解されたアルキレンスチレンコポリマー）、少なくとも２０重量％の界面活性剤を含むこのようなアルカリが調整された薬剤は、好ましくは軟質の繊細な、特に織物の表面から、ココア、口紅、靴クリーム、チューインガム、ウコンといった、グリース及び／又は顔料含有染みを除去するのに適している。
【００４１】
当然のことながら、このような薬剤を、硬質表面から染みを除去するために使用することもできる。
【００４２】
更なる変形例では、薬剤は、一般に５０重量％超、好ましくは６０重量％超である、極めて高いアルカリ画分と共に配合される。このような付着性の、ペースト状の、強アルカリ性の薬剤は、垂直表面に粘着し、例えば水を掛けることによる水の存在下でアルカリを放出し、続いてこれらが樹脂、グリース、油等の付着物を攻撃する。このような薬剤は、煙道ガス樹脂、グリース若しくは油含有汚染物質又はすすを除去するために、例えば工業プラント及び燃焼室において使用できる。このような強アルカリ薬剤は、（例えば屠畜場における、グリースの導管閉塞（ドレーン・オープナー）における、ケラチン物質（毛、角）の除去のために）垂直表面上の樹脂又はグリース付着物を除去する場合でさえ、極めて良好な結果を示す。対照的に、繊細な軟質表面の洗浄に関して、このような強アルカリ薬剤は、例えばＴｅｆｌｏｎ又はＰＵＲ等の耐アルカリ性繊維製の生地のため等、例外的な場合にしか適していない。
【００４３】
界面活性剤
本発明による薬剤は界面活性剤を含み、陰イオン性、陽イオン性、非イオン性、両性の界面活性剤を界面活性剤として使用できる。
【００４４】
界面活性剤は、本発明による薬剤において、洗浄する働きをするだけでなく、表面に付着するポリマーを再び洗い流すことも可能とする。更に、界面活性剤はポリマーに対して増粘効果を有し、即ち特に粉体形態の界面活性剤を添加することにより、薬剤の粘度を調整することもできる。
【００４５】
原理的に使用できる界面活性剤は、全ての公知の陰イオン性及び／又は陽イオン性及び／又は非イオン性及び／又は両性の界面活性剤であり、粉末状のものから高度にペースト状であるものが好ましい。
【００４６】
薬剤中の界面活性剤画分は、最大８０重量％、好ましく１０重量％〜６０重量％、特に好ましくは２５重量％〜４５重量％であってよい。
【００４７】
陰イオン性界面活性剤は、本発明において複数の機能を有する。第１に、陰イオン性界面活性剤は、付着性を完全に破壊することなく、ポリマーマトリクスを乳化する働きをする。
【００４８】
第２に、陰イオン性界面活性剤は、粘度を増大させるもの（増粘剤）として働くことにより、開始ポリマーの可塑化に必須の貢献をする。最後に述べるが決して軽んずるべきでないものとして、界面活性剤の良好な洗浄効果が望まれ、これは良好な濡れ性によって補助される。
【００４９】
使用される陰イオン性界面活性剤は好ましくは、カルボン酸、硫酸ハーフエステル、スルホン酸の塩の群からの、好ましくは脂肪酸、脂肪族アルキル硫酸、アルキルアリールスルホン酸の群からの、１つ又は複数の物質である。陰イオン性界面活性剤のＣ−鎖分布は通常、６〜４０、好ましくは８〜３０、特に１〜２２の炭素原子の範囲にある。
【００５０】
金属塩（好ましくはアルカリ金属塩）及び天然又は合成混合物の形態のカルボン酸（Ｃ６−Ｃ２２）、並びに硫酸ハーフエステル及びより長鎖のアルコールのアルカリ金属塩を、陰イオン性界面活性剤として同様に使用できる。
【００５１】
本発明に従って使用できる更なるクラスの陰イオン性界面活性剤は、アルキルエーテル硫酸のアルカリ金属塩である。アルキルエーテル硫酸は、アルキル硫酸のように、エチレンオキシドと反応して問題となる脂肪族アルコールエトキシレートをもたらす脂肪族アルコールから合成される。エチレンオキシドの代わりに、プロピレンオキシドを使用することもできる。後続のスルホン化により、問題となるアルキルエーテル硫酸が生成される。
【００５２】
本発明の文脈において、アルカンスルホン酸及びオレフィンスルホン酸のアルカリ金属塩を陰イオン性界面活性剤として使用することもできる。アルカンスルホン酸は、末端で結合した（１級アルカンスルホン酸）又はＣ鎖に沿った（２級アルカンスルホン酸）スルホン酸基を含む。典型的な代表例は、アルキルベンゼンスルホン酸、特に好ましくは直鎖型アルキルベンゼンスルホン酸（ｌｉｎｅａｒ  ａｌｋｙｌ  ｂｅｎｚｅｎｅ  ｓｕｌｆｏｎａｔｅｓ：ＬＡＳ）である。
【００５３】
上述の陰イオン性界面活性剤は、中和された形態で単独で、又は互いに混合された状態で使用できる。
【００５４】
本発明によると、界面活性剤相は、その重量ベースで、好ましくは１０重量％〜９０重量％、特に好ましくは４０重量％〜８５重量％のラウリル硫酸を含む。
【００５５】
使用できる非イオン性界面活性剤は、アルコキシル化された、好ましくはエトキシル化された、特に、好ましくは８〜１８炭素原子、及びアルコール１モルあたり平均して１〜１２モルのエチレンオキシド（ＥＯ）を有する１級アルコールであり、ここでアルコールラジカルは、オキソアルコールラジカル上に通常存在するように、直鎖であってよいか若しくは好ましくは２つの位置においてメチル分岐していてよく、並びに／又は直鎖の及びメチル分岐したラジカルを混合物中に含んでよい。しかしながら特に、１２〜１８の炭素原子、アルコール１モルあたり平均して２〜８モルのＥＯを有する、自然由来のアルコール、例えばココナツ、ヤシ、獣脂又はオレイルアルコールからの直鎖ラジカルを含むアルコールエトキシレートが選択される。これらの非イオン性界面活性剤に加えて、１２超のＥＯを有する脂肪族アルコールを使用することもできる。その例は、１４のＥＯ、２５のＥＯ、３０のＥＯ又は４０のＥＯを有する獣脂脂肪族アルコールである。
【００５６】
更に、使用できる更なる非イオン性界面活性剤はまた、一般式アルキル−Ｏ（Ｇ）のアルキルグリコシドでもあり、ここでアルキルは８〜２２、好ましくは１２〜１８の炭素原子を有する、直鎖の又はメチル分岐された、特に２つの位置においてメチル分岐された、１級脂肪族ラジカルであり、Ｇは５又は６の炭素原子を有するグルコシド単位、好ましくはグルコースに関する記号である。
【００５７】
単独の非イオン性界面活性剤として又は他の非イオン性界面活性剤と組み合わせて使用される、好んで使用される更なるクラスの非イオン性界面活性剤は、好ましくはアルキル鎖において１〜４の炭素原子を有する、アルコキシル化された、好ましくはエトキシル化された、又はエトキシル化されかつプロポキシル化された脂肪酸アルキルエステルであり、特に脂肪酸メチルエステルである。アミンオキシドタイプの非イオン性界面活性剤、例えばＮ−ココアルキル−Ｎ，Ｎ−ジメチルアミンオキシド及びＮ−獣脂−アルキル−Ｎ，Ｎ−ジヒドロキシエチルアミンオキシド又はアルカノールアミドを使用することもできる。
【００５８】
界面活性剤相全体のうちの１つ又は複数の非イオン性界面活性剤の画分は、最大５０％、好ましくは最大３０％、特に好ましくは最大２５％とすることができる。
【００５９】
界面活性剤相は必要に応じて、陽イオン性又は両性及び双性イオン性界面活性剤を備えてもよい。両性界面活性剤の例は、Ｃ５〜Ｃ２１の脂肪酸画分を有する脂肪酸アミドプロピルベタインであるが、アンフォジアセテートもある。
【００６０】
陽イオン性界面活性剤は本発明の酸性配合中で、殺菌性に関して有効な物質としても好ましく使用される。双性イオン性界面活性剤は例えば、カルボキシ、スルホン酸塩、硫酸塩、リン酸塩又はホスホン酸塩といった、その時点で陰イオン基である更なる基に対して脂肪族橋を介して結合した、４級アンモニウム、ホスホニウム又はスルホニウム成分として説明できる。
【００６１】
薬剤に添加できるフォーマはまた、オレフィンスルホン酸塩、エーテル硫酸塩又は酸メチルタウリド（ａｃｉｄ  ｍｅｔｈｙｌｔａｕｒｉｄｅｓ）である。強力なフォーマが使用される場合、好ましくは１〜５０、特に１〜２５％の界面活性剤相を、例えばベタイン、アルコキシル化アルキルエーテル硫酸塩又はラクトビオン酸誘導体からの１つ又は複数のフォーマで置換できる。これらフォーマは、例えばココアミドプロピルベタインといった、Ｃ５〜Ｃ２１の脂肪酸画分を有する脂肪酸アミドプロピルベタイン、１〜５のＥＯを有するラウリルエーテル硫酸塩のアルカリ金属若しくはアンモニウム塩、ラクトビオノココイルアミド（ｌａｃｔｏｂｉｏｎｏｃｏｃｏｙｌａｍｉｄｅ）、ラクトビオノオレイルアミド（ｌａｃｔｏｂｉｏｎｏｏｌｅｙｌａｍｉｄｅ）、ラクトビオノタローアミド（ｌａｃｔｏｂｉｏｎｏｔａｌｌｏｗａｍｉｄｅ）等、又はそれらの混合物から選択できる。これらのフォーマを、本発明による薬剤中に容易に組み込むことができる。固体、好ましくは粉末状又は高粘性形態で存在するこのような補助界面活性剤を使用することが選択される。
【００６２】
付着促進剤
本発明による薬剤の必須構成成分は、アルキレンスチレンコポリマー、２つ以上のオレフィンのオレフィンホモポリマー又はオレフィンコポリマー、及びポリアルキレン誘導体の群から選択された付着促進剤であり、ここでポリマーは、水素添加されていてよい。
【００６３】
選択されるアルキレンスチレンコポリマーは好ましくは、特にスチレン−ブタジエン−スチレンコポリマー（ＳＢＳ）、スチレン−イソプレン−スチレンコポリマー（ＳＩＳ）、スチレン−エチレン／ブチレン−スチレンコポリマー（Ｓ−ＥＢ−Ｓ）、スチレン‐エチレン／プロピレンコポリマー（Ｓ−ＥＰ）、スチレン−エチレン／ブチレンコポリマー（Ｓ−ＥＢ）、スチレン−ブタジエンコポリマー（ＳＢ）、スチレン−イソプレンコポリマー（ＳＩ）の群からの、ジブロック又はトリブロックコポリマーである。アルキレンスチレンコポリマーはまた、水素添加されているか、又は部分的に水素添加されている。好ましくは、水素添加された又は水素添加されていないアルキレンスチレンコポリマーは架橋している。
【００６４】
アルキレンスチレンコポリマー、特にアルキレンスチレンコポリマーの群からのポリマーは好ましくは、特に鉱油若しくは植物油、アルカン又は芳香族炭化水素といった疎水性溶媒に溶解する。溶媒は非プロトン性、無極性、及び好ましくは非反応性とすべきである。
【００６５】
この結果として、粘着性のある疎水性ゲルがしばしば形成される。このようなゲルは例えば、１〜２０重量％のポリマー、８０〜９９重量％の疎水性溶媒（例えば鉱油等）からなる。
【００６６】
アルキレンスチレンコポリマーは、例えばＰｅｎｒｅｃｏによるＶｅｒｓａｇｅｌ  Ｍ７５０又はＶｅｒｓａｇｅｌ  Ｍ１６００等のＶｅｒｓａｇｅｌという商標名の疎水性溶媒中の溶液の形態で供給される。Ｋｒａｔｏｎ  Ｐｅｒｆｏｒｍａｎｃｅ  Ｐｏｌｙｍｅｒｓは、「Ｋｒａｔｏｎ」の商標名で固体としてのアルキレンスチレンコポリマーを供給する。
【００６７】
（任意に疎水性溶媒に溶解された）ポリマーを添加することにより、薬剤は粘着性でもある。その結果、薬剤は問題となる物体の表面に付着し、これによって水洗中又は洗浄プロセス中に長期間にわたり処理対象の表面に対する効果を有する。
【００６８】
使用できるオレフィンホモポリマー又はコポリマーはポリブタジエンゴム、スチレン−ブタジエンブロックポリマー及びコポリマー、並びにポリイソプロペンであるが、スチレン又はα−メチルスチレンに対するブタジエン又はイソプレンの１，３−添加によって得られるランダム（ブロック）ポリマーでもある。エチレン−プロピレンジエンターポリマー、天然ゴム、ノルボルネンポリマー又はポリジシクロペンタジエンといった、エチレン又はプロピレンのホモポリマー又はコポリマーを使用することもできる。オレフィンホモポリマー及びコポリマーの群からの化合物はまた、部分的に水素添加することもでき、部分的に酸化させることもでき、又は更にグラフト分子によって官能化することもできる。
【００６９】
ポリアルキレン誘導体の群からの付着促進剤の、可能性のある更なるクラスは、ランダムに分布した官能基を有するポリアルキレン鎖を含む。このポリアルキレン鎖は、好ましくはポリブタジエン、ポリイソプロピレン、ポリプロピレン鎖である。
【００７０】
ポリアルキレン鎖上にランダムに分布した官能基は好ましくは、特に無水物、チオール、エポキシド又は１級アミンの群からの反応基である。当然のことながら官能基は、付着促進剤が薬剤の他の構成成分と反応しないように選択される。
【００７１】
ポリブタジエン鎖にランダムに結合した無水マイレン酸基を有するポリマーが、特に選択される。１，４−シス−ポリブタジエンに対する特に好ましい無水マイレン酸付加物は、Ｐｏｌｙｖｅｓｔの名称でＤｅｇｕｓｓａから入手できる。
【００７２】
活性物質
本発明による薬剤は更に、除去対象の染み又は除去対象の付着物に応じて選択されることになる、少なくとも１つの活性物質を含む。
【００７３】
本発明の文脈における活性物質は、酸、アルカリ、漂白剤、自由に使用できる有機疎水性溶媒である。使用目的に応じて、複数の活性物質を薬剤中に存在させてもよい。
【００７４】
活性物質としての酸
本発明による薬剤が活性物質として酸を含む場合、薬剤は例えば、衣類材料の脇下領域における染みの除去、又は錆及び血液の染み若しくは石灰沈着の上部の汚染物質の除去等の、軟質表面からの染みの除去に適したものとなる。
【００７５】
使用できる酸は、有機酸及び無機酸、またその組み合わせである。
【００７６】
好適な有機酸は例えば、酢酸、乳酸、クエン酸、レブリン酸、酒石酸、蟻酸、グリコール酸、コハク酸、グルタル酸、マレイン酸、メタンスルホン酸、スルファミン酸又はシュウ酸である。有機酸の濃度は、１重量％〜６０重量％、好ましくは１５重量％〜４０重量％とするべきである。
【００７７】
使用できる無機酸は例えば、硫酸、硝酸、塩酸又はリン酸である。薬剤中の無機酸の濃度は、酸が調整された薬剤の場合、１重量％〜４０重量％、好ましくは１０重量％〜３０重量％とするべきである。
【００７８】
薬剤中に更なる活性物質が存在しない場合、薬剤中の（有機及び／又は無機）酸の最小含有量は少なくとも１０重量％である。
【００７９】
酸を含む薬剤の１％溶液のｐＨは、ｐＨ２以下、好ましくは最大ｐＨ１．５、特に好ましくは最大ｐＨ１とするべきである。
【００８０】
スルファミン酸等の固体無水酸の使用が選択される。
【００８１】
活性物質としての酸及び漂白剤
更なる変形例では、薬剤は活性物質として、上記少なくとも１つの酸に加えて、少なくとも１つの酸化剤を含む。
【００８２】
このような変形例は、錆、血液、汗、及び易酸化物質の染みを除去するのに適している。
【００８３】
酸性の酸化剤に関して、リン酸をＨ2Ｏ2と共に使用できる（安定化）。薬剤中の（純）Ｈ2Ｏ2画分は好ましくは、２重量％〜５重量％とするべきである。
【００８４】
活性物質としてのアルカリ
樹脂の染み、例えば煙道ガス樹脂の染みを除去するために、高い画分のアルカリを含む薬剤が適している。
【００８５】
使用できるアルカリは例えば、好ましくは固体又はプリルとしてのＮａＯＨ、ＫＯＨ又はＭｇＯ又はＮａ2Ｏといった、アルカリ金属及びアルカリ土類金属の酸化物及び水酸化物である。
【００８６】
特に硬質表面上の樹脂の染み又は油含有染みを除去するために、薬剤中のアルカリ画分は、５０重量％以上、好ましくは少なくとも６０重量％、特に好ましくは少なくとも７０重量％とすることができる。
【００８７】
アルカリが調整された薬剤の１％溶液のｐＨは、少なくともｐＨ９、好ましくは少なくともｐＨ１０、特に好ましくは少なくともｐＨ１１とするべきである。
【００８８】
活性物質としてのアルカリ及び疎水性溶媒
特に織物等の繊細な軟質表面から、靴クリーム又はチョコレート等のグリース含有染みを除去するために、活性物質としてアルカリ及び遊離疎水性有機溶媒を含む薬剤が適している。アルカリは、繊維を膨張させる働きをする。アルカリ及び疎水性溶媒は、グリース可溶性汚染物質を溶解する、及び／又はグリース可溶性汚染物質を例えばエステルの開裂によって化学修飾する働きをする。
【００８９】
本発明による薬剤のいくつかの変形例では、付着促進剤は、鉱油（例えばＶｅｒｓａｇｅｌ  １６００等）等の疎水性溶媒中でゲル化され、鉱油のうちゲル形成に必要な部分は疎水性溶媒として利用できないため、配合中のグリース可溶性物質の溶解は、「自由な」溶媒、即ちゲル形成に不要な溶媒によってのみ行われる。
【００９０】
従って好ましい変形例では、（除去対象の染みに応じて）少なくとも１０重量％、好ましくは最大４０重量％の画分に薬剤中でのゲル形成に必要な鉱油を含むＶｅｒｓａｇｅｌに、例えばテルペン等の追加の溶媒が添加される。このような薬剤において、アルカリ画分は少なくとも２重量％である。
【００９１】
自由な疎水性溶媒は、単に薬剤を染みに塗布するとすぐに、油含有汚れの初期溶解をもたらす。
【００９２】
活性物質としてのアルキル及び漂白剤
更なる変形例では、本発明による薬剤は、アルカリ及び漂白剤を活性物質として含むことができる。この変形例では、活性物質としてのアルカリと共に、アルカリ条件において安定である漂白剤も、上述の薬剤に更に添加され、上記漂白剤は例えば、好ましくは０．０１重量％〜１重量％の濃度のシアヌレート又は塩素漂白剤等の塩素放出漂白剤である。
【００９３】
このような薬剤は、塩素に安定な生地、好ましくは染色されていない繊維からの染みの除去に適している。
【００９４】
更に、本発明による薬剤は、相限界を超える乳化を容易にするために、溶解性促進剤を含むことができる。使用できる溶解性促進剤は例えば、好ましくは１重量％〜４０重量％の濃度の、グリコールエーテル又はクメンスルホン酸ナトリウムである。
【００９５】
更に、本発明による薬剤は、湿潤剤を含むこともできる。例えばグリセロール又はグリコール等の、ポリアルコールを使用することが選択される。
【００９６】
更に、薬剤の可塑性を増大させるために、本発明による薬剤に（共）−増粘剤を添加できる。使用できる（共）−増粘剤は例えば、ベントナイト、粉末界面活性剤、キサンタン、ポリブタジエンゴム、ポリイソプロペン、オリゴ−若しくはポリエチレンオキシド及び／又はオリゴ−若しくはプロピレンオキシド及び／又はオリゴ−若しくはポリブチレンオキシドからなる結合したオリゴマーを含むブロックコポリマー、並びにアリールエトキシレート又はアルキル−アリールエトキシレートである。リグニン又はリグニンのアルカリ金属若しくはアルカリ土類金属塩等のポリマー天然物質を、（共）−増粘剤として使用することもできる。
【００９７】
例えば紅茶の染みを除去するのに有用なジホスホン酸ナトリウム等の隔離剤を、同様に薬剤に添加できる。洗浄用溶液中でＣａ又はＭｇを懸濁状態に保持する分散剤を、構成成分として薬剤中に存在させることもできる。更に、薬剤は、例えばホスホン酸塩又はＥＤＴＡ等の錯化剤も含むことができる。
【００９８】
更に、例えばエーロシル、特に完全にメチル化したエーロシル（Ｃａｒｂｏｔ  Ｃａｒｂｏｎ）等の疎水性化剤（ｈｙｄｒｏｐｈｏｂｉｃｉｚｅｒ）を、充填剤として本発明による薬剤に添加できる。
【００９９】
本発明による薬剤は当然のことながら、（必要に応じて）染料、芳香剤、酵素（アミラーゼ、リパーゼ、プロテアーゼ、セルラーゼ及びペルオキシダーゼ）を含むこともできる。
【０１００】
不快な臭気に結合するために、薬剤は更に、好ましくは芳香剤に添加される臭気バインダ（悪臭中和剤）を含むことができる。このような臭気バインダは、例えば米国特許第７２８８５０７Ｂ２号に記載されている。
【０１０１】
薬剤の粘度は、所望の使用目的及び用途のタイプに応じて調整できる。
【０１０２】
薬剤の粘度は一方で、薬剤が処理対象の染みを効果的に湿らせることができる程度に低くするべきである。他方で薬剤の粘度は同時に、薬剤が処理対象の染み又は汚染物質から再び「流れ落ち」ない、及び塗布量を適切に調節できる程十分に高いものとするべきである。
【０１０３】
使用目的に応じて、薬剤は、塗布される表面又は生地の種類に応じて低い〜高い粘度を有することができ、長時間に亘って付着できる。
【０１０４】
本発明による薬剤は好ましくはペースト状である。特に好ましい実施形態では、薬剤は、Ｈａａｋｅ粘度計、プレート／プレートシステム、プレート直径１０ｍｍを用いて、剪断勾配２．６２ｓ-1、２０℃で測定した場合に、少なくとも３０Ｐａ＊ｓ、特に少なくとも１００Ｐａ＊ｓの粘度を有する。このようなペーストを、例えばブラシ又はスパチュラを用いて、ペーストが付着する場所である処理対象の表面上に広げることができる。
【０１０５】
本発明による染み除去剤は、ブラシを用いて、処理対象の物品の洗浄対象の領域、特に織物の、染み上又は脇下領域内に塗布される。染み除去剤は付着し、水の存在下で、アルカリ性洗浄用溶液中に、染みを徐々に溶解する活性成分を放出する。
【０１０６】
織物の脇下領域用の酸性染み除去剤の場合では、水の存在下で、放出された酸によって、織物の繊維を攻撃することなく、難溶性アルミニウム塩の残留物がゆっくりと崩壊する。ここで、染みの周りの局所的な媒体は産生であるが、織物の残り全体はアルカリ性溶液中にある。
【０１０７】
本発明による薬剤は概して、植物、動物又は合成物由来の織物から染みを除去するのに適している。特にこの薬剤は、綿織物上の汗と共にデオドラントの付着物を除去するのに適している。
【０１０８】
織物からの染みの除去のために、本発明による染み除去剤はまず、染み除去剤が付着する場所である除去対象の染みに対して塗布される。
【０１０９】
続いて、例えば少なくとも１分である特定の作用時間後に、処理される衣類材料を洗濯機で又は手で洗濯することによって、塗布された染み除去剤を再び除去する。
【０１１０】
洗濯することにより、水溶性活性物質、即ちアルカリ又は漂白剤が、染みの周りの領域に局所的に放出され、染みが除去される。主に洗浄用溶液又は（洗剤を用いて洗濯機で洗濯しない場合）水は、残りの「染みのない」特に織物材料に作用する。
【０１１１】
水溶性の場合、酸、アルカリ又は漂白剤等の活性成分は、水との接触時にのみ放出されるため、（これまでに知られている薬剤とは対照的に）染み除去剤が塗布された後、必要とされる時間内に再びすすがれないことにより生じる生地に対するダメージは、実質的に排除される。
【０１１２】
水との接触により、また薬剤中に存在する界面活性剤により、染み除去剤は表面から再び完全に除去される。
【０１１３】
汗染みの除去に加えて、本発明による薬剤は、血液、錆、鉄の染み又はその他の酸可溶性の染みを除去するために使用することもできる。
【０１１４】
活性物質として少なくとも５重量％の酸及び／又は少なくとも１重量％の殺生物剤を含む変形例では、本発明による薬剤は、例えば石上のコケ及びその他の付着物を除去するために使用することもできる。
【０１１５】
使用できる殺生物剤は例えば、塩化ベンザルコニウム、ブロノポール、グルタルアルデヒド、ホルムアルデヒド、トリアジン、ジブロモニトリルプロピオンアミド、テルブトリン、ＩＰＢＣ、ＯＩＴ、ジウロンである。
【０１１６】
アルカリ水酸化アンモニウム又は希釈有機若しくは無機酸を含む変形例では、薬剤は、硬質表面上の銅又はその他の金属から、例えばプリント回路基板等から付着物を除去するために使用することもできる。
【０１１７】
本発明による染み除去剤は好ましくは、室温において処理対象の物品に塗布され、続いて冷水又は温水で再び洗い流される。
【０１１８】
本発明による薬剤は、染み及び汚染物質を除去するための１回限りの使用に特に適しており、ここで薬剤全体は塗布後に水を用いて除去される。
【０１１９】
薬剤中の水溶性活性成分を早すぎる分解から保護するために、及び水溶性の場合、薬剤中の活性成分が水で洗われる又は流される時にのみ放出されることを保証するために、この薬剤は好ましくは疎水性とするべきであり、又は最大５重量％、特に好ましくは最大１％の水画分を有するべきである。
【発明を実施するための形態】
【０１２０】
実施例を参照することにより、本発明を以下により詳細に説明する。
【０１２１】
以下に示されているのは、例えば脇下領域における織物上の染みの除去に役立つことができる、本発明による酸性薬剤の基本配合及び例示的配合である。
【０１２２】
I．酸が調整された薬剤のための基本配合
【０１２３】
2016533412.tif 000002
【０１２４】
II．脇下領域における染みを除去するための酸性薬剤の配合（「脇下クリーナー（ａｒｍｐｉｔ  ｃｌｅａｎｅｒ）」）
以下の配合に基づく薬剤を、以下「脇下クリーナー」と呼ぶ：
【０１２５】
2016533412.tif 000003
【０１２６】
III．脇下領域における染みの除去の有効性に関する試験
上記の配合IIによる脇下クリーナーを、数回着用した青色のＴシャツ上の脇下領域における染みに塗布した。ドクターベックマンステインデビル（Ｄｒ．  Ｂｅｃｋｍａｎｎ’ｓ  Ｓｔａｉｎ  Ｄｅｖｉｌ）「Ｒｕｓｔ＆Ｄｅｏｄｒａｎｔ」を、取扱説明書に従って隣接する脇下領域の染みに塗布した。
【０１２７】
洗濯条件は以下の通りであった：洗濯物４．５ｋｇにつき５５ｇの粉末洗剤、浴比１：５、洗濯温度４０度、２５０ｍｇ／ｃｍ2の脇下クリーナー、作用時間６０分、洗濯時間３０分、すすぎ時間３×３０秒、冷水。
【０１２８】
図１は、脇下領域における染みを有する開始材料と、本発明による脇下クリーナーを用いて及びドクターベックマンステインデビルを用いて染みを除去した後の結果とを示す。
【０１２９】
本発明による脇下クリーナーを用いると、脇下領域における染みは完全に除去されているが、ドクターベックマンステインデビルを用いて処理した場合、はっきりと視認できる染みが脇下領域に残っている。
【０１３０】
IV．実験IIによる脇下クリーナーに起因する、様々な生地において起こり得る品質損失の調査
Ｇｅｒｍａｎ  Ｔｅｘｔｉｌｅ  Ｒｅｓｅａｒｃｈ  Ｉｎｓｔｉｔｕｔｅ  Ｎｏｒｔｈ−Ｗｅｓｔ（クレーフェルト）は、以下の生地に対する、実験IIからの脇下領域における染みを除去するための薬剤の影響を調査した。
【０１３１】
ａ）調査された生地
【０１３２】
2016533412.tif 000004
【０１３３】
調査の過程で、スプレッダを用いて、約５０ｍｇ／ｃｍ2の配合IIによる脇下クリーナーを各試料に塗布した。
【０１３４】
ｂ）染色堅牢度の決定のための試験方法：
家庭洗濯及び商業洗濯に関する染色堅牢度を、ＤＩＮ  ＥＮ  ＩＳＯ  １０５−Ｃ０６  （Ｌｉｎｉｔｅｓｔ  ｐｌｕｓ）、Ａ１Ｓ、４０℃、スチールボールを使用、刊行日：２０１０−０８、マルチファイババラストファブリックタイプ（ｍｕｌｔｉｆｉｂｅｒ  ｂａｌｌａｓｔ  ｆａｂｒｉｃ  ｔｙｐｅ）「ＤＷ」、リン酸塩を含むＥＣＥ洗剤、に従って決定した。
評価：堅牢度値−１−（不十分）から−５−（良好）
【０１３５】
ｃ）未処理の生地試料は以下の結果をもたらした：
【０１３６】
【表１】
2016533412.tif 000005
【０１３７】
ｄ）脇下クリーナーを用いた生地試料（ペーストの作用：５０ｍｇ／ｃｍ2、６０分）は以下の結果をもたらした：
【０１３８】
【表２】
2016533412.tif 000006
【０１３９】
V．家庭用洗濯機における洗濯実験
各試験材料をＤＩＮ  ＥＮ  ＩＳＯ  ６３３０に従って家庭用洗濯機で洗濯し、上記試験材料は一方はペーストを用いず未処理であり、他方は脇下クリーナーを用いた。このために、５０ｍｇ／ｃｍ2の脇下クリーナーペーストを、ブレードを用いて幅約３ｃｍのストリップの中央に塗布し、作用させるために６０分間放置した。
【０１４０】
洗濯は、
４０℃の洗濯温度、標準洗濯、
洗剤：中性洗剤
荷重：２ｋｇ
洗濯機モデル：Ｍｉｅｌｅ「Ｇａｌａ  Ｇｒａｎｄｅ」
において行った。
【０１４１】
別の試験材料による汚染を防ぐために、各試験材料を別個に洗濯した。このようにして得られた試料は、更なる試験のための基礎を形成した。
【０１４２】
生地の引張特性をＤＩＮ  ＥＮ  ＩＳＯ  １３９３４−１、最大引張力及びストリップ法を用いた最大引張力における伸長の決定、刊行日：１９９９−０４、クランプ長さ２００ｍｍ、ストリップ幅：５０ｍｍ、試験速度（縦糸）１００ｍｍ／分、試験速度（横糸）：１００ｍｍ／分、プレテンション２Ｎ、に従って決定した。
試料の条件：均一化されている、標準的な気候条件：２０℃、６５％の相対大気湿度
測定試料の数：各方向に３つ
【０１４３】
ａ）オリジナル−ブランク試料：
【０１４４】
【表３】
2016533412.tif 000007
【０１４５】
ｂ）洗濯済み：
【０１４６】
【表４】
2016533412.tif 000008
【０１４７】
ｃ）脇下クリーナー（ペーストの作用：５０ｍｇ／ｃｍ2、６０分）を用いて、洗濯した：
【０１４８】
【表５】
2016533412.tif 000009
【０１４９】
VI．  引張特性の決定
生地の引張特性を、ＤＩＮ  ＥＮ  ＩＳＯ  １３９３４-２、グラブ法を用いた最大引張力の決定：刊行日：１９９９−０４に従って決定した。
【０１５０】
ａ）オリジナル−ブランク試料：
【０１５１】
【表６】
2016533412.tif 000010
【０１５２】
ｂ）洗濯済み：
【０１５３】
【表７】
2016533412.tif 000011
【０１５４】
ｃ）脇下クリーナー（ペーストの作用：５０ｍｇ／ｃｍ2、６０分）を用いて、洗濯した：
【０１５５】
【表８】
2016533412.tif 000012
【０１５６】
VII．コーティング及び付帯材料
ＤＩＮ  ５４２７８−１に従った、有機溶媒に溶解する物質の決定
刊行日：１９９５−１０
溶媒：水
オリジナル-ブランク試料：
【０１５７】
【表９】
2016533412.tif 000013
【０１５８】
I）洗濯済み：
【０１５９】
【表１０】
2016533412.tif 000014
【０１６０】
II）ＴＭ１１（ペーストの作用：５０ｍｇ／ｃｍ2、６０分）を用いて、洗濯した：
【０１６１】
【表１１】
2016533412.tif 000015
【０１６２】
VIII．結果
上述の実験条件下で、脇下クリーナーを用いた処理の結果として、様々な基材（ＴＭ１、ＴＭ３、ＴＭ５、ＴＭ  ７、ＴＭ９）の黄変も、着色された試料の変色も実証されなかった。２つの試料に関して、脇下クリーナー（ＴＭ２、ＴＭ６）をすすぐと、バラストファブリックの比較的強いブリージングが実証された（表２参照）。
【０１６３】
更に、脇下クリーナーの使用の結果としての、様々な基材の最大引張力の特筆すべき低下が記録された（表３〜表８参照）。
【０１６４】
４０℃での「傷みやすい衣類（Ｄｅｌｉｃａｔｅｓ）」プログラムを用いた家庭での洗濯によって、塗布された量の脇下クリーナーが洗い落される能力は、ストレッチ及びマイクロファイバ材料（ＴＭ５、ＴＭ７）に関して良好であると証明されている。しかしながら、ポリエステル／綿材料（ＴＭ３）及びライクラ材料（ＴＭ９）に関して、より多くの残留付着物が確認された。即ち、上記実験条件において洗い落される能力は、いくぶん不十分であることが証明されている（表９〜表１１参照）。
【０１６５】
実証された結果は、上述の実験条件において脇下クリーナーを使用した結果、試験された織物の黄変又は変色が生じなかったというものである。同様に、材料強度に対する悪影響も確認されなかった。
【０１６６】
IX．グリース、ワックス、口紅を除去するための活性物質としてのアルカリ及び疎水性溶媒を含む薬剤の配合
以下の配合は、特に織物等の軟質上の上記染みを除去するのに適している。
【０１６７】
2016533412.tif 000016
【０１６８】
薬剤中に存在するＮａＯＨはグリース溶解物質として作用し、繊維の膨張をもたらすことにより、構成成分がより良好に繊維に到達でき、また構成成分を繊維からより良好に再び運び去ることができる。
【０１６９】
短鎖、油溶性界面活性剤（Ｌｕｔｅｎｓｏｌ  ＴＯ３、Ｌｕｔｅｎｓｏｌ  ＡＯ５）とより長鎖の水溶性界面活性剤との混合物、及び溶解性促進剤Ｅｌｔｅｓｏｌは、汚染物質を水相に移動させる。
【０１７０】
X．例えば織物から赤ワインの染みを除去するための、酸性漂白染み除去剤のための配合
例えば染料等の酸化性構成成分を含む染みを除去するために、以下の酸性薬剤を使用できる。
【０１７１】
2016533412.tif 000017
【０１７２】
この配合は、漂白剤として過ホウ酸ナトリウムを、酸化活性剤としてＴＡＥＤを含む。
【０１７３】
XI．本発明による薬剤を用いた更なる洗濯実験
本発明による薬剤の有効性を試験するために、異なる汚れを有する材料を用いて、実験室条件において及び家庭用洗濯機で洗濯することによって更なる実験を行い、ドクターベックマンステインデビルと比較した。
【０１７４】
洗濯の結果を以下に詳細に議論する。
【０１７５】
ａ）靴クリームの染み
配合IX（テルペンを有するアルカリ）に従った本発明による薬剤と、ドクターベックマンステインデビル「潤滑剤／油（Ｌｕｂｒｉｃａｎｔｓ／ｏｉｌｓ）」とを用いた靴クリームの染み除去の、１回の処理後の比較を図２に示す。
【０１７６】
結果は、配合IXに従った本発明による薬剤の使用が、実験室条件及び家庭用洗濯中の両方において、ドクターベックマンステインデビルと少なくとも同様に良好な染み除去を達成することを示している。
【０１７７】
ｂ）チョコクリームの染み
配合IX（アルカリ及びテルペン）に従った本発明による薬剤と、ドクターベックマンステインデビル「グリース及びソース（Ｇｒｅａｓｅ  ａｎｄ  ｓａｕｃｅｓ）」とを用いたチョコクリームの染みの除去を図３に示す。１回の塗布後、本発明による薬剤の場合は僅かな「暗色部」が形成されるのみとすることができるが、ドクターベックマンステインデビルを用いた除去後、染みは依然としてはっきりと視認できる。
【０１７８】
ｃ）赤ワインの染み
図４は、配合Xに従った本発明による薬剤と、比較のためにドクターベックマンステインデビル「果物＆飲料（Ｆｒｕｉｔ＆ｄｒｉｎｋｓ）」とを用いた赤ワインの染みの除去を示す。図は、ドクターベックマンステインデビルと比較して、配合Xに従った本発明による薬剤を用いた染みがたった１回の処理後に完全に除去されていることを示している。
【０１７９】
ｄ）口紅の染み
口紅の染みの除去は一般に、極めて困難である。しかしながら、ドクターベックマンステインデビル「ネイチャー＆ビューティー（Ｎａｔｕｒｅ＆ｂｅａｕｔｙ）」と比較して、配合IXに従った本発明による薬剤は、実験室条件において、また家庭用洗濯中にも、ステインデビルより明らかに良好な結果（図５）を示している。
【０１８０】
ｅ）ウコンの染み
ウコン又はカレーの除去可能性の場合、配合IXに従った本発明による染み除去剤は、比較のために同様に試験されたドクターベックマンステインデビル「グリース＆ソース」を用いた場合よりも、たった１回の洗濯後に染みのより広範な除去をもたらし、より良好な染み除去をもたらす。比較実験を図６に示す。
【０１８１】
XII．洗濯条件
本発明によるによる染みペーストを、スパチュラを用いて染みに対して均一に塗布する。作用時間は１５〜３０分である。ドクターベックマンステインデビルを取扱説明書に従って塗布する。
【０１８２】
ａ）実験室：ビーカーでの洗濯
実験室条件において、洗濯を以下の通り行った：濃度比：洗濯物４．５ｋｇあたり粉末洗剤５５ｇ、浴比１：５．洗濯温度４０℃、バラスト洗濯（テリーコットン（Ｔｅｒｒｙ  ｃｏｔｔｏｎ））。
【０１８３】
洗濯時間は３０分、冷水を用いたすすぎ時間は３×３０秒であった。
【０１８４】
ｂ）家庭洗濯
洗濯機における洗濯プロセスは、予洗いなしの４０℃の洗濯プログラムである。
【図面の簡単な説明】
【０１８５】
【図１】脇下領域における染みを有する開始材料と、本発明による脇下クリーナーを用いて及びドクターベックマンステインデビルを用いて染みを除去した後の結果とを示す。
【図２】配合IX（テルペンを有するアルカリ）に従った本発明による薬剤と、ドクターベックマンステインデビル「潤滑剤／油（Ｌｕｂｒｉｃａｎｔｓ／ｏｉｌｓ）」とを用いた靴クリームの染み除去の、１回の処理後の比較を示す。
【図３】配合IX（アルカリ及びテルペン）に従った本発明による薬剤と、ドクターベックマンステインデビル「グリース及びソース（Ｇｒｅａｓｅ  ａｎｄ  ｓａｕｃｅｓ）」とを用いたチョコクリームの染みの除去の比較を示す。
【図４】配合Xに従った本発明による薬剤と、ドクターベックマンステインデビル「果物＆飲料（Ｆｒｕｉｔ＆ｄｒｉｎｋｓ）」とを用いた赤ワインの染みの除去の比較を示す。
【図５】配合IXに従った本発明による薬剤と、ドクターベックマンステインデビル「ネイチャー＆ビューティー（Ｎａｔｕｒｅ＆ｂｅａｕｔｙ）」とを用いた口紅の染みの除去の比較を示す。
【図６】配合IXに従った本発明による染み除去剤と、ドクターベックマンステインデビル「グリース＆ソース」とを用いたウコンの染みの除去の比較を示す。
【図１】
2016533412.tif 000018
【図２】
2016533412.tif 000019
【図３】
2016533412.tif 000020
【図４】
2016533412.tif 000021
【図５】
2016533412.tif 000022
【図６】
2016533412.tif 000023
【手続補正書】
【提出日】平成28年2月19日(2016.2.19)
【手続補正１】
【補正対象書類名】特許請求の範囲
【補正対象項目名】全文
【補正方法】変更
【補正の内容】
【特許請求の範囲】
【請求項１】
硬質又は軟質表面から染み又は付着物を除去するための薬剤であって、
前記薬剤は、界面活性剤、付着促進剤、少なくとも１つの活性物質を含み、
界面活性剤画分は１０重量％〜６０重量％であり、
前記付着促進剤は、アルキレンスチレンコポリマー、２つ以上のオレフィンのオレフィンホモポリマー又はオレフィンコポリマー、及びポリアルキレン誘導体の群から選択され、前記ポリマーは、水素添加されていてもよく、
前記アルキレンスチレンコポリマーは、ジブロック又はトリブロックコポリマーからなる群から、特にスチレン−ブタジエン−スチレンコポリマー（ＳＢＳ）、スチレン−イソプレン−スチレンコポリマー（ＳＩＳ）、スチレン−エチレン／ブチレン−スチレンコポリマー（Ｓ−ＥＢ−Ｓ）、スチレン‐エチレン／プロピレンコポリマー（Ｓ−ＥＰ）、スチレン−エチレン／ブチレンコポリマー（Ｓ−ＥＢ）、スチレン−ブタジエンコポリマー（ＳＢ）、スチレン−イソプレンコポリマー（ＳＩ）からなる群から選択され、ここで前記アルキレンスチレンコポリマーはまた、水素添加されていてよいか、又は部分的に水素添加されていてよく、
前記オレフィンホモポリマー又は前記コポリマーは：ポリブタジエンゴム；スチレン−ブタジエンブロックポリマー及びコポリマー；並びにポリイソプロペン；スチレン又はα−メチルスチレンに対するブタジエン又はイソプレンの１，３−添加によって得られるランダム（ブロック）ポリマー；エチレン−プロピレンジエンターポリマー、天然ゴム、ノルボルネンポリマー又はポリジシクロペンタジエンといったエチレン又はプロピレンのホモポリマー又はコポリマーの群から選択され、
前記ポリアルキレン誘導体は、ランダムに分布した官能基を有するポリアルキレン鎖であり、
前記活性物質は、酸、アルカリ、漂白剤及び／又はゲル中で結合しない疎水性有機溶媒であり、
前記薬剤は、少なくとも１０重量％の少なくとも１つの酸、若しくは少なくとも１０重量％の少なくとも１つのアルカリ、及び／若しくは少なくとも５重量％の漂白剤を含み、並びに／又は少なくとも１０重量％のゲル中で結合しない疎水性有機溶媒を含む、硬質又は軟質表面から染み又は付着物を除去するための薬剤。
【請求項２】
酸を含む前記薬剤の１％溶液のｐＨは、ｐＨ２以下であることを特徴とする、請求項１に記載の薬剤。
【請求項３】
アルカリを含む前記薬剤の１％溶液のｐＨは、少なくともｐＨ９であることを特徴とする、請求項１に記載の薬剤。
【請求項４】
前記界面活性剤画分は、２５重量％〜４５重量％であることを特徴とする、請求項１に記載の薬剤。
【請求項５】
前記薬剤はペースト状であり、Ｈａａｋｅ粘度計、プレート／プレートシステム、プレート直径１０ｍｍを用いて、剪断勾配２．６２ｓ-1、２０oＣで測定した場合に、少なくとも３０Ｐａ＊ｓの粘度を有することを特徴とする、請求項１に記載の薬剤。
【請求項６】
織物から脇下領域における染みを、又は血液、錆若しくは石灰沈着の上部の汚れの染みを除去するために、少なくとも１０重量％の酸を含む、請求項１に記載の薬剤の使用。
【請求項７】
硬質表面から及び／又は表面のエッチングのために、樹脂、油、すす又はグリースを含有する付着物を除去するために、少なくとも５０重量％のアルカリを含む、請求項１に記載の薬剤の使用。
【請求項８】
前記薬剤は、ココア／チョコレート、靴クリーム、口紅、チューインガム、ウコンの染み、又はその他のグリース若しくは顔料を含有する染みを除去するために、アルカリ及び少なくとも１０重量％の疎水性有機溶媒を含む、請求項１に記載の薬剤の使用。
【請求項９】
着色染み及び赤ワインの染みを除去するために、少なくとも１０重量％の漂白剤を含む、請求項１に記載の薬剤の使用。
【請求項１０】
コケを除去するための薬剤の使用であって、
前記薬剤は、界面活性剤、付着促進剤、少なくとも１つの活性物質を含み、
前記付着促進剤は、アルキレンスチレンコポリマー、２つ以上のオレフィンのオレフィンホモポリマー又はオレフィンコポリマー、及びポリアルキレン誘導体の群から選択され、
前記ポリマーは、水素添加されていてもよく、
前記活性物質は、少なくとも５％の酸及び／又は少なくとも１％の殺生物剤である、
コケを除去するための薬剤の使用。
【国際調査報告】
2016533412.tif 000024
2016533412.tif 000025
2016533412.tif 000026
2016533412.tif 000027
2016533412.tif 000028
2016533412.tif 000029
2016533412.tif 000030
2016533412.tif 000031